(57)【要約】【課題】利用者毎に、その利用者が利用可能な物品のみを検索可能である、セキュリティ性の高い収納システムを提供すること。【解決手段】本発明の収納システム１は、ＲＦＩＤリーダ１４にて、利用者が有するＲＦＩＤカードキー１８によって利用者を認証した上で、認証された利用者の利用者情報と利用者が入力した条件とに基づいて収納物を検索し、検索された収納物に備えられている無線タグ２１に対して信号を送信し、当該無線タグ２１が有する有機ＥＬ素子２２を発光させるようなることができ、その扉１５はＲＦＩＤリーダ１４にて利用者が認証されることで初めて開扉可能となる。【選択図】  図１
2011238066.tif 000002
【特許請求の範囲】
【請求項１】
無線タグが備えられている収納物を収納し、リーダライタの制御により前記無線タグとの間で信号を送受信する送受信手段を有する収納システムであって、
前記送受信手段は、
前記無線タグに対し、前記無線タグの固有ＩＤを指定した第一信号を送信する第一信号送信手段と、
前記第一信号を受信した前記無線タグから返信されてくる返信信号を受信する返信信号受信手段と、
前記返信信号を返信した前記無線タグに対し、前記第一信号とは異なる周波数で前記無線タグの固有ＩＤを指定した第二信号を送信する第二信号送信手段とを備え、
前記リーダライタは、
利用者が有する認証キーによって、利用者を認証する利用者認証手段と、
前記収納物と、前記収納物に備えられている前記無線タグの前記固有ＩＤと、前記収納物を利用可能な利用者情報とを関連付けて収納物情報として記憶している収納物情報記憶手段と、
前記収納物情報記憶手段に記憶されている前記収納物情報から、前記利用者認証手段によって認証された利用者に関する前記利用者情報と、前記利用者が入力した条件とに基づいて前記収納物情報を検索する収納物情報検索手段と、
前記収納物情報検索手段にて検索された前記収納物情報に基づいて、前記収納物に備えられている前記無線タグに対して対応する固有ＩＤを第一信号として送信し、前記無線タグから返信信号が返信された際には当該無線タグが有する報知手段に報知指示を、第二信号として送信するように送受信手段を制御する送受信手段制御手段と、
前記収納物情報記憶手段に記憶されている全ての前記固有ＩＤを第一信号として送信し、前記無線タグからの返信信号の変化により当該収納物の取り出し及び返却を判定する収納物状態判定手段と
を有し、
前記無線タグは、
ＲＦＩＤチップと、
報知を行う報知手段と、
前記第一信号を受信し、返信信号を送信する第一アンテナと、
前記第二信号を受信する第二アンテナと、
前記第一信号又は前記第二信号を受信する第三アンテナと、
前記第三アンテナにて受信した信号からＲＦＩＤチップや報知手段を駆動する電力を供給する電力供給手段と
から構成され、
前記ＲＦＩＤチップは、
当該無線タグの固有ＩＤを記憶するＩＤ記憶手段と、
前記第一アンテナが受信した第一信号を復調、受信する第一信号受信手段と、
前記第一信号が指定した固有ＩＤが、前記ＩＤ記憶手段の記憶する固有ＩＤと一致するか否かを判断する第一判断手段と、
前記第一判断手段において一致と判断した場合に、返信信号を変調して送信する返信信号送信手段と、
前記第二アンテナが受信した第二信号を復調、受信する第二信号受信手段と、
前記第二信号受信手段からの信号が、前記ＩＤ記憶手段の記憶する固有ＩＤと一致するか否かを判断する第二判断手段と、
前記第二判断手段において一致と判断した場合に報知手段が稼働するように制御する報知手段制御手段と
から構成されることを特徴とする収納システム。
【請求項２】
前記収納物を収納可能で、且つ開閉自在で施錠手段を有する扉を有する収納ボックスを更に備え、
前記リーダライタは、前記利用者認証手段によって利用者が認証されたら前記扉の施錠を解除し、前記扉が閉じられたら施錠するように施錠手段を制御する扉施錠制御手段を更に有することを特徴とする請求項１に記載の収納システム。
【請求項３】
前記収納物を収納可能で、且つ開閉自在で施錠手段を有する扉を有する収納ボックスを更に備え、
前記リーダライタは、前記収納物情報検索手段によって、前記収納物が検索された際に前記扉の施錠を解除し、前記扉が閉じられたら施錠するように施錠手段を制御する扉施錠制御手段を更に有することを特徴とする請求項１に記載の収納システム。
【請求項４】
前記リーダライタは、前記収納物状態判定手段により、前記利用者が前記収納物情報検索手段を用いて検索した前記収納物が取り出されたと判定された際に、当該利用者の利用履歴を記憶する利用履歴記憶手段を更に有し、
前記扉施錠制御手段は、前記利用者認証手段によって、利用履歴を有する利用者が認証された際には、扉の施錠を解除し、前記扉が閉じられたら施錠するように施錠手段を制御することを特徴とする請求項３に記載の収納システム。
【請求項５】
前記収納物を収納可能で、且つ扉開閉手段によって開閉する扉を有する収納ボックスを更に備え、
前記リーダライタは、前記利用者認証手段によって利用者が認証されたら前記扉を開く制御を行う扉開閉制御手段を更に有することを特徴とする請求項１に記載の収納システム。
【請求項６】
前記収納物を収納可能で、且つ扉開閉手段によって開閉する扉を有する収納ボックスを更に備え、
前記リーダライタは、前記収納物情報検索手段によって、前記収納物が検索された際に前記扉を開く制御を行う扉開閉制御手段を更に有することを特徴とする請求項１に記載の収納システム。
【請求項７】
前記リーダライタは、前記収納物状態判定手段により、前記利用者が前記収納物情報検索手段を用いて検索した前記収納物が取り出されたと判定された際に、当該利用者の利用履歴を記憶する利用履歴記憶手段を更に有し、
前記扉開閉制御手段は、前記利用者認証手段によって、利用履歴を有する利用者が認証された際には、前記扉を開く制御を行うことを特徴とする請求項６に記載の収納システム。
【請求項８】
前記扉開閉制御手段は、前記収納物状態判定手段によって、利用者が前記収納物情報検索手段を用いて検索した前記収納物が取り出されたと判定された後、扉を閉じる制御を行うことを特徴とする請求項５乃至７に記載の収納システム。
【請求項９】
前記扉開閉制御手段は、前記収納物状態判定手段により前記利用履歴記憶手段に記憶されている収納物が返却されたと判定された後、扉を閉じる制御を行うことを特徴とする請求項７に記載の収納システム。
【請求項１０】
前記リーダライタは、利用者が前記扉を閉じる指示を入力するための扉閉め入力手段を更に有し、
前記扉開閉制御手段は、利用者が前記扉閉め入力手段に入力を行った際に前記扉を閉じる制御を行うことを特徴とする請求項５乃至９に記載の収納システム。
【請求項１１】
前記収納物状態判定手段により、当該収納システムの利用者が前記収納物情報において当該利用者と関連付けられていない収納物が取り出されたと判定された際には警報を発する警報手段を更に有することを特徴とする請求項１乃至１０に記載の収納システム。
【請求項１２】
前記収納物状態判定手段により、当該収納システムの利用者が前記収納物情報検索手段において検索されていない収納物が取り出されたと判定された際には警報を発する警報手段を更に有することを特徴とする請求項１乃至１１に記載の収納システム。
【請求項１３】
前記リーダライタは、前記警報手段が警報を発した際に、その利用者情報を記憶する不正利用者記憶手段を更に有することを特徴とする請求項１１乃至１２に記載の収納システム。
【発明の詳細な説明】
【技術分野】
【０００１】
本発明は、物品の収納システムであって、特にセキュリティ性に優れた収納システムに関するものである。
【背景技術】
【０００２】
従来から、会社、役所等多量の書類や鍵などの管理、保管、利用等を行うオフィスや工場などでは、利便性の向上や作業の効率化を図るため、これら書類や鍵などにその内容や使用箇所に関しての名称や印を付すことが多い。
【０００３】
しかし、利便性の向上等のために機密性を要する書類や鍵に名称等を付すことにより、その書類や鍵を、本来使用してはいけない部外者に対しても、その書類や鍵の内容、用途を教えてしまうこととなり、結果的に不正な利用が容易となってしまう。
【０００４】
そこで、書類や鍵などに、検索用ＩＤが記憶された無線タグを貼付した上で、無線タグリーダから書類や鍵などに貼付された無線タグに無線電波を出力し、利用者が利用したい書類や鍵に添付された検索用ＩＤを有する無線タグから音や光などでその位置を知らせることで、書類や鍵などに名称や印を付すことなく、利用者が利用したい書類や鍵などを探すことが可能となる物品検索システムが、例えば特許文献１に紹介されている。
【先行技術文献】
【特許文献】
【０００５】
【特許文献１】特開２００６−２４０１８号公報
【発明の概要】
【発明が解決しようとする課題】
【０００６】
しかしながら、特許文献１で示されている物品検索システムにおいては、無線タグリーダは持ち運び可能に構成されているため、部外者が勝手に持ち出して利用することが容易である。また、仮に無線タグリーダを固定したとしても、誰でも書類等のデータを検索することが可能であり、部外者が容易に書類や鍵などを検索し、持ち出すことが可能となってしまう。特許文献１に示されている物品検索システムにおいては、以上のようなセキュリティ上の問題がある。
【０００７】
本発明は、上述した課題を解決するためになされたものであり、利用者毎に、その利用者が利用可能な物品のみが検索可能である、セキュリティ性の高い収納システムを提供するものである。
【課題を解決するための手段】
【０００８】
上記目的を達成するために、本発明の請求項１に係る発明の収納システムは、無線タグが備えられている収納物を収納し、リーダライタの制御により前記無線タグとの間で信号を送受信する送受信手段を有する収納システムであって、前記送受信手段は、前記無線タグに対し、前記無線タグの固有ＩＤを指定した第一信号を送信する第一信号送信手段と、前記第一信号を受信した前記無線タグから返信されてくる返信信号を受信する返信信号受信手段と、前記返信信号を返信した前記無線タグに対し、前記第一信号とは異なる周波数で前記無線タグの固有ＩＤを指定した第二信号を送信する第二信号送信手段とを備え、前記リーダライタは、利用者が有する認証キーによって、利用者を認証する利用者認証手段と、前記収納物と、前記収納物に備えられている前記無線タグの前記固有ＩＤと、前記収納物を利用可能な利用者情報とを関連付けて収納物情報として記憶している収納物情報記
憶手段と、前記収納物情報記憶手段に記憶されている前記収納物情報から、前記利用者認証手段によって認証された利用者に関する前記利用者情報と、前記利用者が入力した条件とに基づいて前記収納物情報を検索する収納物情報検索手段と、前記収納物情報検索手段にて検索された前記収納物情報に基づいて、前記収納物に備えられている前記無線タグに対して対応する固有ＩＤを第一信号として送信し、前記無線タグから返信信号が返信された際には当該無線タグが有する報知手段に報知指示を、第二信号として送信するように送受信手段を制御する送受信手段制御手段と、前記収納物情報記憶手段に記憶されている全ての前記固有ＩＤを第一信号として送信し、前記無線タグからの返信信号の変化により当該収納物の取り出し及び返却を判定する収納物状態判定手段とを有し、前記無線タグは、ＲＦＩＤチップと、報知を行う報知手段と、前記第一信号を受信し、返信信号を送信する第一アンテナと、前記第二信号を受信する第二アンテナと、前記第一信号又は前記第二信号を受信する第三アンテナと、前記第三アンテナにて受信した信号からＲＦＩＤチップや報知手段を駆動する電力を供給する電力供給手段とから構成され、前記ＲＦＩＤチップは、当該無線タグの固有ＩＤを記憶するＩＤ記憶手段と、前記第一アンテナが受信した第一信号を復調、受信する第一信号受信手段と、前記第一信号が指定した固有ＩＤが、前記ＩＤ記憶手段の記憶する固有ＩＤと一致するか否かを判断する第一判断手段と、前記第一判断手段において一致と判断した場合に、返信信号を変調して送信する返信信号送信手段と、記第二アンテナが受信した第二信号を復調、受信する第二信号受信手段と、前記第二信号受信手段からの信号が、前記ＩＤ記憶手段の記憶する固有ＩＤと一致するか否かを判断する第二判断手段と、前記第二判断手段において一致と判断した場合に報知手段が稼働するように制御する報知手段制御手段とから構成されることを特徴とする。
【０００９】
また、本発明の請求項２に係る発明の収納システムは、請求項１に記載の発明の構成に加え、前記収納物を収納可能で、且つ開閉自在で施錠手段を有する扉を有する収納ボックスを更に備え、前記制御手段は、前記利用者認証手段によって利用者が認証されたら前記扉の施錠を解除し、前記扉が閉じられたら施錠するように施錠手段を制御する扉施錠制御手段を更に有することを特徴とする
【００１０】
また、本発明の請求項３に係る発明の収納システムは、請求項１に記載の発明の構成に加え、前記収納物を収納可能で、且つ開閉自在で施錠手段を有する扉を有する収納ボックスを更に備え、前記制御手段は、前記収納物情報検索手段によって、前記収納物が検索された際に前記扉の施錠を解除し、前記扉が閉じられたら施錠するように施錠手段を制御する扉施錠制御手段を更に有することを特徴とする。
【００１１】
また、本発明の請求項４に係る発明の収納システムは、請求項３に記載の発明の構成に加え、前記制御手段は、前記収納物状態判定手段により、前記利用者が前記収納物情報検索手段を用いて検索した前記収納物が取り出されたと判定された際に、当該利用者の利用履歴を記憶する利用履歴記憶手段を更に有し、前記扉施錠制御手段は、前記利用者認証手段によって、利用履歴を有する利用者が認証された際には、扉の施錠を解除し、前記扉が閉じられたら施錠するように施錠手段を制御することを特徴とする。
【００１２】
また、本発明の請求項５に係る発明の収納システムは、請求項１に記載の発明の構成に加え、前記収納物を収納可能で、且つ扉開閉手段によって開閉する扉を有する収納ボックスを更に備え、前記制御手段は、前記利用者認証手段によって利用者が認証されたら前記扉を開く制御を行う扉開閉制御手段を更に有することを特徴とする。
【００１３】
本発明の請求項６に係る発明の収納システムは、請求項１に記載の発明の構成に加え、前記収納物を収納可能で、且つ扉開閉手段によって開閉する扉を有する収納ボックスを更に備え、前記制御手段は、前記収納物情報検索手段によって、前記収納物が検索された際に前記扉を開く制御を行う扉開閉制御手段を更に有することを特徴とする。
【００１４】
また、本発明の請求項７に係る発明の収納システムは、請求項６に記載の発明の構成に加え、前記制御手段は、前記収納物状態判定手段により、前記利用者が前記収納物情報検索手段を用いて検索した前記収納物が取り出されたと判定された際に、当該利用者の利用履歴を記憶する利用履歴記憶手段を更に有し、前記扉開閉制御手段は、前記利用者認証手段によって、利用履歴を有する利用者が認証された際には、前記扉を開く制御を行うことを特徴とする。
【００１５】
本発明の請求項８に係る発明の収納システムは、請求項５乃至７に記載の発明の構成に加え、前記扉開閉制御手段は、前記収納物状態判定手段によって、利用者が前記収納物情報検索手段を用いて検索した前記収納物が取り出されたと判定された後、扉を閉じる制御を行うことを特徴とする。
【００１６】
本発明の請求項９に係る発明の収納システムは、請求項７に記載の発明の構成に加え、前記扉開閉制御手段は、前記収納物状態判定手段により前記利用履歴記憶手段に記憶されている収納物が返却されたと判定された後、扉を閉じる制御を行うことを特徴とする。
【００１７】
本発明の請求項１０に係る発明の収納システムは、請求項５乃至９に記載の発明の構成に加え、前記制御手段は、利用者が前記扉を閉じる指示を入力するための扉閉め入力手段を更に有し、前記扉開閉制御手段は、利用者が前記扉閉め入力手段に入力を行った際に前記扉を閉じる制御を行うことを特徴とする。
【００１８】
本発明の請求項１１に係る発明の収納システムは、請求項１乃至１０に記載の発明の構成に加え、前記収納物状態判定手段により、当該収納システムの利用者が前記収納物情報において当該利用者と関連付けられていない収納物が取り出されたと判定された際には警報を発する警報手段を更に有することを特徴とする。
【００１９】
本発明の請求項１２に係る発明の収納システムは、請求項１乃至１１に記載の発明の構成に加え、前記収納物状態判定手段により、当該収納システムの利用者が前記収納物情報検索手段において検索されていない収納物が取り出されたと判定された際には警報を発する警報手段を更に有することを特徴とする。
【００２０】
本発明の請求項１３に係る発明の収納システムは、請求項１１乃至１２に記載の発明の構成に加え、その利用者情報を記憶する不正利用者記憶手段を更に有することを特徴とする。
【発明の効果】
【００２１】
請求項１に係る発明の収納システムは、利用者認証手段が、利用者が有する認証キーによって利用者を認識した上で、認証された利用者の利用者情報と利用者が入力した条件とに基づいて収納物を検索し、検索された収納物に備えられている無線タグが有する報知手段を稼働させる収納システムである。このことで、利用可能な利用者のみが検索可能であり、且つその利用者が利用可能な収納物のみが検索できる、セキュリティ性の高い収納システムを得ることができる。
【００２２】
請求項２に係る発明の収納システムは、請求項１に記載の発明の効果に加え、利用者認証手段によって利用者が認証された際に施錠が解除され、閉じられたら施錠する扉を有する収納ボックスを更に備えることにより、本発明の収納システムに収納されている収納物を利用可能な利用者のみが収納物を取り出すことが可能である、セキュリティ性の高い収納ボックスを得ることができる。
【００２３】
請求項３に係る発明の収納システムは、請求項１に記載の発明の効果に加え、収納物情報検索手段によって利用者が検索したい収納物が検索された際に施錠が解除され、閉じられたら施錠する扉を有する収納ボックスを更に備えることにより、本発明の収納システム中に利用可能な収納物が収納されている利用者のみが収納物を取り出すことが可能である、セキュリティ性の高い収納ボックスを得ることができる。
【００２４】
請求項４に係る発明の収納システムは、請求項３に記載の発明の効果に加え、収納物を持ち出した履歴のある利用者を認証した際に扉の施錠が解除されることにより、収納物返却時に不用意に扉が開かない、セキュリティ性の高い収納システムを得ることができる。
【００２５】
請求項５に係る発明の収納システムは、請求項１に記載の発明の効果に加え、利用者認証手段によって利用者が認証された際に自動で開く扉を有する収納ボックスを更に備えることにより、本発明の収納システムに収納されている収納物を利用可能な利用者のみが収納物を取り出すことが可能である、セキュリティ性の高い収納ボックスを得ることができる。
【００２６】
請求項６に係る発明の収納システムは、請求項１に記載の発明の効果に加え、収納物情報検索手段によって利用者が検索したい収納物が検索された際に自動で開く扉を有する収納ボックスを更に備えることにより、本発明の収納システム中に利用可能な収納物が収納されている利用者のみが収納物を取り出すことが可能である、セキュリティ性の高い収納ボックスを得ることができる。
【００２７】
請求項７に係る発明の収納システムは、請求項３に記載の発明の効果に加え、収納物を持ち出した履歴のある利用者を認証した際に自動で開く扉を有することにより、収納物返却時に不用意に扉が開かない、セキュリティ性の高い収納システムを得ることができる。
【００２８】
請求項８に係る発明の収納システムは、請求項５乃至７に記載の発明の効果に加え、収納物が取り出された後扉が閉じるように制御されることにより、扉が開いたままにならない、セキュリティ性の高い収納システムを得ることができる。
【００２９】
請求項９に係る発明の収納システムは、請求項７に記載の発明の効果に加え、収納物が返却された後扉が閉じるように制御されることにより、扉が開いたままにならない、セキュリティ性の高い収納システムを得ることができる。
【００３０】
請求項１０に係る発明の収納システムは、請求項５乃至９に記載の発明の効果に加え、利用者が扉を閉じる指示を行うことが可能であるため、収納物の取り出しや返却を行わなくとも扉を閉めることができる、セキュリティ性の高い収納システムを得ることができる。
【００３１】
請求項１１に係る発明の収納システムは、請求項１乃至１０に記載の発明の効果に加え、収納物状態判定手段により、利用者と関連付けられていない収納物が取り出されたと判定された際に警報を発する警報手段を有することにより、持ち出し不可の収納物を持ち出そうとする利用者に対して警告を行うことが可能となる、セキュリティ性の高い収納システムを得ることができる。
【００３２】
請求項１２に係る発明の収納システムは、請求項１乃至１１に記載の発明の効果に加え、収納物状態判定手段により、利用者が検索していない収納物が取り出されたと判定された際に警報を発する警報手段を有することにより、利用するものではない収納物を持ち出そうとする利用者に対して警告を行うことが可能となる、セキュリティ性の高い収納システムを得ることができる。
【００３３】
請求項１３に係る発明の収納システムは、請求項１１乃至１２に記載の発明の効果に加え、警報手段が警報を発した際の利用者情報を記憶することにより、後刻不正な利用を行った利用者を知ることが可能となる、セキュリティ性の高い収納システムを得ることができる。
【図面の簡単な説明】
【００３４】
【図１】第一実施形態の収納システム１の斜視図である。
【図２】ファイル２０が収納されている収納システム１の斜視図である。
【図３】無線タグ２１が備えられたファイル２０の斜視図である。
【図４】収納ボックス１０の電気的構成を示す図である。
【図５】収納物情報記憶領域３２ｂに記憶される収納物情報のデータベース３８を示す図である。
【図６】フィルタ手段３７の等価回路図である。
【図７】無線タグ２１の電気的構成を示す図である。
【図８】無線タグ２１の電源構成を示す図である。
【図９】リーダライタ制御部３１の制御手順を示すフロー図である。
【図１０】チップ制御部４６の制御手順を示すフロー図である。
【図１１】報知制御部５３の制御手順を示すフロー図である。
【図１２】第二実施形態の収納システム１００の斜視図である。
【図１３】第二実施形態の収納ボックス１１０の電気的構成を示す図である。
【図１４】第二実施形態のリーダライタ制御部１３１の制御手順を示すフロー図である。
【発明を実施するための形態】
【００３５】
＜第一実施形態＞
以下、本発明の実施形態の一例である収納システム１について、図面を参照して説明する。図１はファイル２０が収納されていない状態の収納システム１の斜視図であり、図２はファイル２０が収納された状態の収納システム１の斜視図である。また、図３は、無線タグ２１が備えられたファイル２０の斜視図である。
【００３６】
まず、図１〜３を参照して、収納ボックス１０及び無線タグ２１を使用したファイル探索システムの一例である、収納システム１の概要について説明する。
【００３７】
収納システム１は、図１、及び図２に示す通り、ヒンジ１９を図示しないモーターにて動作させることにより自動的に開閉自在である扉１５を有する収納ボックス１０、その収納ボックス１０と一体に設けられているリーダライタ１１及び棚１６内に設けられているアンテナ１７、及び利用者が保有するＲＦＩＤカードキー１８により構成される。リーダライタ１１には、利用者認証のためにＲＦＩＤカードキー１８と通信を行うＲＦＩＤリーダ１４、利用者が収納システム１に収納されているファイル２０を検索する際にデータを入力するための入力部１２、及び入力部１２への入力内容その他の情報を表示する表示部１３が設けられている。
【００３８】
収納ボックス１０には、図３に示すような、背表紙に無線タグ２１が貼付された状態のファイル２０が複数収納されている。無線タグ２１には有機ＥＬ素子２２が設けられている。そしてユーザは、収納ボックス１０に一体に設けられたリーダライタ１１を使用することによって、これらのファイル２０の中から所望のファイル２０に貼付された無線タグ２１の有機ＥＬ素子２２を発光させ、当該ファイルを探索する。
【００３９】
次に、収納ボックス１０及び無線タグ２１の電気的構成について、図４〜８を参照して
説明する。図４は、収納ボックス１０の電気的構成を示す図であり、図６は、リーダライタ１１が有するフィルタ手段３７の等価回路図であり、図７は、無線タグ２１の電気的構成を示す図であり、図８は、無線タグ２１の電源構成を示す図である。また、図５は収納ボックス１０のリーダライタ１１が備える収納物情報記憶領域３２ｂに記憶される収納物情報のデータベース３８を示す図である。
【００４０】
まず、図４を参照して、収納ボックス１０の電気的構成について説明する。リーダライタ１１は、通信処理や判断処理等、リーダライタ１１の全体の制御を司るリーダライタ制御部３１と、アンテナ１７より送信可能な第一信号を生成する第一リーダライタ変調部３４と、アンテナ１７より受信した信号（返信信号）を復調する第一リーダライタ復調部３５と、アンテナ１７より送信可能な、第一信号とは異なる周波数の第二信号を生成する第二リーダライタ変調部３６と、第一リーダライタ変調部３４／第一リーダライタ復調部３５と、第二リーダライタ変調部３６とを１つのアンテナ１７に接続するフィルタ手段３７と、入力部１２と、表示部１３と、不揮発性記憶素子であるリーダライタ記憶部３２と、利用者認証に使用するＲＦＩＤリーダ１４とにより構成されている。
【００４１】
なお、アンテナ１７にて送受信される第一信号、返信信号及び第二信号の周波数は、それぞれ無線タグ２１の有する第一アンテナ４０及び第二アンテナ５０（図７参照）と送受信可能であればよく、本実施形態においては、第一信号及び返信信号の周波数は、１３．５６ＭＨｚ、第二信号の周波数は６０ＭＨｚとする。
【００４２】
ＲＦＩＤリーダ１４は、利用者が有するＲＦＩＤカードキー１８を近づけることで、その利用者を認証するためのものであり、すでに公知であるＲＦＩＤリーダ、及びＲＦＩＤカードキーを使用することができる。ＲＦＩＤカードキー１８を近づけることで、ＲＦＩＤリーダ１４は、ＲＦＩＤカードキー１８と通信し、ＲＦＩＤカードキー１８のカードキーＩＤを認識する。
【００４３】
第一リーダライタ変調部３４は、リーダライタ制御部３１より送信された電気信号（第一信号）をアンテナ１７より送信させることが可能な変調信号に変調するために設けられている。そして第一リーダライタ変調部３４は、リーダライタ制御部３１及びフィルタ手段３７と電気的に接続している。また第二リーダライタ変調部３６は、リーダライタ制御部３１より送信された電気信号（第二信号）をアンテナ１７より送信させることが可能な変調信号に変調するために設けられており、リーダライタ制御部３１及びフィルタ手段３７と電気的に接続している。
【００４４】
第一リーダライタ復調部３５は、アンテナ１７に電波が照射されることにより発生した電気信号を復調するために設けられており、フィルタ手段３７と電気的に接続している。また、復調した電気信号をリーダライタ制御部３１に対して送信することが可能なように、第一リーダライタ復調部３５はリーダライタ制御部３１と電気的に接続している。
【００４５】
なお、第一リーダライタ変調部３４、及び第二リーダライタ変調部３６における変調方式、及び第一リーダライタ復調部３５における復調方式は、特定の方式に限定されず、さまざまな従来公知の変復調方式が採用される。例えば、振幅変調（ＡＭ）方式、周波数変調（ＦＭ）方式、位相変調（ＰＭ）方式等が挙げられる。
【００４６】
また入力部１２は、利用者が探索するファイルのファイル関連情報を入力するために設けられており、押ボタンやタッチセンサ等により構成されている。また、入力部１２には、扉１５を閉じる際に使用する閉扉ボタン１２ａも設けられている。
【００４７】
表示部１３は、入力部１２への入力内容その他のリーダライタ１１からの制御により情
報を表示するものであり、公知の表示媒体を使用することができる。例えば、液晶ディスプレイ等が挙げられる。
【００４８】
またリーダライタ記憶部３２には、利用者情報記憶領域３２ａ、及び収納物情報記憶領域３２ｂが設けられている。利用者情報記憶領域３２ａには、本発明の収納システム１を利用可能である利用者が保有するＲＦＩＤカードキー１８に記憶されているＲＦＩＤカードキーＩＤがあらかじめ記憶されている。収納物情報記憶領域３２ｂには、無線タグ２１のチップ記憶部４５（図７参照）に記憶されている固有ＩＤと、当該無線タグ２１が貼付されているファイル２０のファイル関連情報と、当該ファイルを利用可能な利用者が保有するＲＦＩＤカードキー１８に記憶されているＲＦＩＤカードキーＩＤとが対応付けられた情報である収納物情報が、例えば図５に示すようなデータベース３８としてあらかじめ記憶されている。また、収納物情報記憶領域３２ｂには、記憶されている各ファイル２０が収納ボックス１０に収納されているか否かの情報も合わせて記憶される。
【００４９】
アンテナ１７は、所謂ループアンテナにて構成されている。そして電波が照射された場合に、電磁誘導により各々のアンテナに電流を生じさせることが可能であるとともに、各々のアンテナに電気信号を送信することにより、所望の信号電波を放射させることが可能となっている。
【００５０】
アンテナ１７はフィルタ手段３７により第一リーダライタ変調部３４、第一リーダライタ復調部３５、及び第二リーダライタ変調部３６と接続される。フィルタ手段３７は図６に示したような回路にて構成されており、第一共振回路３７ａ及び第二共振回路３７ｂを含む。第一リーダライタ変調部３４／復調部３５に接続される第一共振回路３７ａの共振周波数を、第二リーダライタ変調部３６から送られる信号電波（第二信号）と同じ周波数とし、第二リーダライタ変調部３６に接続される第二共振回路３７ｂの共振周波数を、第一リーダライタ変調部３４／復調部３５と送受信する信号電波（第一信号、返信信号）と同じ周波数とすることで、第一リーダライタ変調部３４／復調部３５から送受信される信号電波（第一信号、返信信号）は共振によって第二リーダライタ変調部３６の回路から隔離され、反対に第二リーダライタ変調部３６から送信される信号電波（第二信号）は共振によって第一リーダライタ変調部３４／復調部３５の回路から隔離される。
【００５１】
扉１５は、扉開閉手段３３により開閉されるように構成されている。扉開閉手段３３は、ヒンジ１９、及びリーダライタ制御部３１からの制御により扉１５を開閉するようにヒンジ１９を動作させる図示しないモーターにより構成されるものである。
【００５２】
次に、図７を参照し、無線タグ２１の電気的構成について説明する。図７に示すように、無線タグ２１は、ＲＦＩＤチップ４１と、報知制御用通信部５１と、ＲＦＩＤチップ４１に接続された第一アンテナ４０と、報知制御用通信部５１に接続された第二アンテナ５０と、報知電源供給部５５に接続された第三アンテナ６０とを備えている。
【００５３】
これらのうち、第一アンテナ４０、第二アンテナ５０、及び第三アンテナ６０は、所謂ループアンテナにて構成されている。そして電波が照射された場合に、電磁誘導により電流を生じさせることが可能であるとともに、第一アンテナ４０については各々のアンテナに電気信号を送信することにより、所定の周波数の電波を放射させることが可能となっている。
【００５４】
なお第一アンテナ４０及び第二アンテナ５０は、所定の周波数にて共振現象が発生するように双方のアンテナのループ径及び巻数が調整されている。これにより、リーダライタ１１よりアンテナ１７を通して放射された信号電波が第一アンテナ４０及び第二アンテナ５０に対して照射された場合に、効率よく電気信号を取り出すことが可能となっている。
また、チップ変調部４２（後述）より電気信号が送信された場合に、信号電波を効率よく放射させることが可能となっている。
【００５５】
なお、上述の第一アンテナ４０及び第二アンテナ５０は、同一の径及び同一の巻数にて構成されていてもかまわないし、異なる径及び異なる巻数にて構成されていてもかまわない。また、第一アンテナ４０及び第二アンテナ５０にて送受信可能な電波の周波数としては、収納ボックス１０が有するアンテナ１７にて送受信される上述された各信号（第一信号、返信信号、第二信号）を送受信可能である必要があり、これらの信号と同一周波数の信号を送受信可能であればよい。本実施形態においては、第一信号及び返信信号を送受信する第一アンテナ４０では１３．５６ＭＨｚを使用し、第二信号を受信する第二アンテナ５０では６０ＭＨｚの周波数を使用する。また、第三アンテナ６０は、第二信号を受信して電流を発生させるように構成されており、６０ＭＨｚの周波数の電波を受信する。
【００５６】
次に、ＲＦＩＤチップ４１の電気的構成について説明する。ＲＦＩＤチップ４１は、通信処理や判断処理、表示処理等の制御を司るチップ制御部４６と、第一アンテナ４０より送信可能な変調信号を生成するチップ変調部４２と、第一アンテナ４０より受信した電気信号を復調するチップ復調部４３と、不揮発性記憶素子であるチップ記憶部４５と、チップ電源供給部４４とから構成されている。
【００５７】
これらのうち、チップ復調部４３は、第一アンテナ４０に信号電波（第一信号）が照射されることにより発生した電気信号を復調するために設けられており、第一アンテナ４０と電気的に接続している。また、復調した電気信号をチップ制御部４６に対して送信することが可能なように、チップ復調部４３はチップ制御部４６と電気的に接続している。またチップ変調部４２は、チップ制御部４６より送信された電気信号（返信信号）を、第一アンテナ４０を介して送信させることが可能な変調信号に変調するために設けられており、チップ制御部４６及び第一アンテナ４０と電気的に接続している。
【００５８】
なお、チップ変調部４２における変調方式、及びチップ復調部４３における復調方式は、特定の方式に限定されず、さまざまな従来公知の変復調方式が採用される。例えば、振幅変調（ＡＭ）方式、周波数変調（ＦＭ）方式、位相変調（ＰＭ）方式等が挙げられる。
【００５９】
またチップ記憶部４５には、固有ＩＤ記憶領域４５ａが設けられており、固有ＩＤが記憶されている。固有ＩＤは、ＲＦＩＤチップ４１を特定するために使用される固有のＩＤであり、ＲＦＩＤチップ４１同士を識別するために使用される。そして、チップ制御部４６よりチップ記憶部４５に記憶されている情報を参照することが可能なように、チップ記憶部４５はチップ制御部４６と電気的に接続している。
【００６０】
またチップ電源供給部４４は、第一アンテナ４０に信号電波が照射されることにより発生した電流を蓄電する。蓄電された電力は、チップ制御部４６、チップ変調部４２、チップ復調部４３、及びチップ記憶部４５を駆動させる電力として使用される。
【００６１】
なお、上述のＲＦＩＤチップ４１としては、従来公知のＲＦＩＤチップが使用される。
【００６２】
次に、報知制御用通信部５１について説明する。報知制御用通信部５１は、通信処理や判断処理、表示処理等の制御を司る報知制御部５３と、第二アンテナ５０より受信した電気信号を復調する報知復調部５２と、不揮発性記憶素子である報知記憶部５４と、有機ＥＬ素子２２と、報知電源供給部５５とから構成されている。
【００６３】
これらのうち、報知復調部５２は、第二アンテナ５０に信号電波（第二信号）が照射されることにより発生した電気信号を復調するために設けられており、第二アンテナ５０と
電気的に接続している。また、復調した電気信号を報知制御部５３に対して送信することが可能なように、報知復調部５２は報知制御部５３と電気的に接続している。
【００６４】
なお、報知復調部５２における復調方式は、特定の方式に限定されず、さまざまな従来公知の変復調方式が採用される。例えば、振幅変調（ＡＭ）方式、周波数変調（ＦＭ）方式、位相変調（ＰＭ）方式等が挙げられる。
【００６５】
また報知記憶部５４には、固有ＩＤ記憶領域５４ａが設けられており、固有ＩＤが記憶されている。固有ＩＤは、無線タグ２１同士を識別し、無線タグ２１を特定するために使用されるものであって、チップ記憶部４５に記憶されているものと同一ＩＤである。そして、報知制御部５３より報知記憶部５４に記憶されている情報を参照することが可能なように、報知記憶部５４は報知制御部５３と電気的に接続している。
【００６６】
また有機ＥＬ素子２２は、報知制御部５３からの制御信号に基づいて点灯／消灯を切り替えることが可能なように、報知制御部５３と電気的に接続している。
【００６７】
次に、図８を参照し、無線タグ２１の電源構成について説明する。図８に示すように、ＲＦＩＤチップ４１のチップ電源供給部４４は、第一アンテナ４０にて発生した電流を蓄電し、チップ制御部４６、チップ変調部４２、チップ復調部４３、及びチップ記憶部４５を駆動させるために、これらの機能ブロックに電力を供給する。これによりＲＦＩＤチップ４１は駆動し、各種処理を実行する。また、報知制御用通信部５１の報知電源供給部５５は、第三アンテナ６０にて発生した電流を蓄電する。そして、報知制御部５３、報知復調部５２、有機ＥＬ素子２２、及び報知記憶部５４を駆動させるために、これらのデバイスに電力を供給する。これにより報知制御用通信部５１を構成する各デバイスは駆動し、各種処理を実行する。
【００６８】
次に、リーダライタ１１のリーダライタ制御部３１、無線タグ２１中ＲＦＩＤチップ４１のチップ制御部４６、及び報知制御用通信部５１の報知制御部５３により実行される処理について、図９〜１１を参照して説明する。図９は、リーダライタ１１のリーダライタ制御部３１にて実行される無線タグ探索処理のフローチャートであり、図１０は、無線タグ２１のチップ制御部４６にて実行される報知処理のフローチャートであり、図１１は、無線タグ２１の報知制御部５３にて実行される報知処理のフローチャートである。
【００６９】
なお、リーダライタ１１のリーダライタ制御部３１は、電源投入により図９に示す処理を繰り返し実行する。また、無線タグ２１中ＲＦＩＤチップ４１のチップ制御部４６は、リーダライタ１１よりアンテナ１７を通して放射された信号電波が第一アンテナ４０に照射され、チップ電源供給部４４（図８参照）にて駆動電力が生成され、チップ制御部４６に電力が供給された場合に、図１０に示す処理を実行する。また、無線タグ２１中報知制御用通信部５１の報知制御部５３は、リーダライタ１１よりアンテナ１７を通して放射された信号電波が第二アンテナ５０、及び第三アンテナ６０に照射され、報知電源供給部５５（図８参照）にて駆動電力が生成され、報知制御部５３に電力が供給された場合に、図１１に示す処理を実行する。
【００７０】
図９に示すように、リーダライタ１１のリーダライタ制御部３１は、電源が投入された状態で、ＲＦＩＤリーダ１４を監視し、ＲＦＩＤリーダ１４にＲＦＩＤカードキー１８が近づけられ、通信が行われているかどうかを監視する。そして、利用者によってＲＦＩＤリーダ１４にＲＦＩＤカードキー１８が近づけられ、ＲＦＩＤカードキーＩＤを読み取るまで待機している（Ｓ１１）。
【００７１】
ＲＦＩＤリーダ１４がＲＦＩＤカードキーＩＤを読み取ったら（Ｓ１１：ＹＥＳ）、リ
ーダライタ制御部３１は、そのＲＦＩＤカードキーＩＤを、利用者情報記憶領域３２ａに記憶されているＲＦＩＤカードキーＩＤと照合する（Ｓ１２）。読み取られたＲＦＩＤカードキーＩＤが利用者情報記憶領域３２ａに記憶されているＲＦＩＤカードキーＩＤのいずれかと一致した場合には（Ｓ１２：ＹＥＳ）、ＲＦＩＤカードキー１８を保有している利用者が収納システム１の正当な利用者であると認識し、扉開閉手段３３を制御して扉１５を開く（Ｓ１４）。一方、ＲＦＩＤカードキーＩＤが利用者情報記憶領域３２ａに記憶されているＲＦＩＤカードキーＩＤと一致しなかった場合には（Ｓ１２：ＮＯ）、ＲＦＩＤカードキー１８を保有している利用者が収納システム１の正当な利用者でないと認識し、正当な利用者でない旨の表示を表示部１３に表示し（Ｓ１３）、ＲＦＩＤカードキーＩＤの読み取り待機状態（Ｓ１１）に戻る。
【００７２】
次に、リーダライタ制御部３１は、収納ボックス１０に収納されているファイル２０を確認するために、全てのファイル２０の固有ＩＤを指定した第一信号をアンテナ１７より送信させるために、第一リーダライタ変調部３４に対して第一信号を送信する（Ｓ１５）。
【００７３】
リーダライタ制御部３１より送信された第一信号は、第一リーダライタ変調部３４において、アンテナ１７より放射させ、無線タグ２１の第一アンテナ４０にて受信することが可能な周波数（本実施例では１３．５６ＭＨｚ）に変調される。そして変調された第一信号が、フィルタ手段３７を通り、アンテナ１７より信号電波として放射される。
【００７４】
一方、無線タグ２１のＲＦＩＤチップ４１では、収納ボックス１０のアンテナ１７より放射された信号電波（第一信号）が第一アンテナ４０に照射された場合、チップ電源供給部４４がチップ制御部４６等の駆動のために必要な電力を生成する。これによりチップ制御部４６が起動し、図１０における処理を開始する。
【００７５】
図１０に示すように、起動したチップ制御部４６は、第一アンテナ４０により受信し、チップ復調部４３にて復調された結果の復調信号を受信するまで待機している。そして復調信号を受信し、受信した信号が、Ｓ１５（図９参照）の処理に基づいてアンテナ１７より送信された第一信号であると判断した場合には（Ｓ３１：ＹＥＳ）、次に、受信した第一信号にて指定されている固有ＩＤと、チップ記憶部４５の固有ＩＤ記憶領域４５ａに記憶されている固有ＩＤとを比較する。
【００７６】
そして、受信した第一信号にて指定された固有ＩＤと、読みだした固有ＩＤとが一致する場合には（Ｓ３３：ＹＥＳ）、チップ制御部４６は、第一アンテナ４０を介してアンテナ１７に対して返信信号を返信し、リーダライタ制御部３１に対して第一信号を受信した旨を通知する必要がある。そこでチップ制御部４６は、読みだした固有ＩＤの情報を含む返信信号をチップ変調部４２に対して送信する（Ｓ３５）。
【００７７】
チップ制御部４６より送信された返信信号は、チップ変調部４２において、第一アンテナ４０より放射させることが可能な周波数（１３．５６ＭＨｚ）に変調される。そして、変調された返信信号が、第一アンテナ４０より信号電波として放射される。
【００７８】
一方チップ制御部４６は、復調信号がリーダライタ１１よりアンテナ１７を介して送信された第一信号でない場合には（Ｓ３１：ＮＯ）、Ｓ３１に戻って引き続き継続して第一信号を受信するまで待機する。また、復調信号が第一信号である場合であっても（Ｓ３１：ＹＥＳ）、受信した第一信号にて指定された固有ＩＤと、チップ記憶部４５の固有ＩＤ記憶領域４５ａに記憶されている固有ＩＤとが一致しない場合には（Ｓ３３：ＮＯ）、処理を終了する。
【００７９】
そして、無線タグ２１からの返信信号をアンテナ１７が受け（Ｓ１６）、第一リーダライタ復調部３５にて復調され、復調された結果の復調信号に含まれている固有ＩＤを有する無線タグ２１を備えたファイル２０が収納ボックス１０に収納されている旨を、収納物情報記憶領域３２ｂに記憶する（Ｓ１７）。
【００８０】
もし、この時点で入力部１２の閉扉ボタン１２ａが押下されたならば（Ｓ１８：ＹＥＳ）、リーダライタ制御部３１は扉開閉手段３３を制御し、扉１５を閉じ（Ｓ１９）、ＲＦＩＤリーダ１４によるＲＦＩＤカードキー１８の読み取り待機状態（Ｓ１１）に戻る。
【００８１】
閉扉ボタン１２ａが押下されていない場合（Ｓ１８：ＮＯ）、次に、入力部１２を介して利用者により探索ファイルに関連する、表題や図書番号等のファイル関連情報の入力操作がなされ、これをリーダライタ制御部３１が検出した場合（Ｓ２０：ＹＥＳ）、リーダライタ制御部３１は、リーダライタ記憶部３２の収納物情報記憶領域３２ｂに記憶されている収納物情報を参照し、入力されたファイル関連情報に相当するファイル２０（以下、探索ファイルという）に貼付されている無線タグ２１（以下、探索無線タグという）の固有ＩＤを、ＲＦＩＤリーダ１４により特定された利用者（が保有するＲＦＩＤカードキー１８に記憶されたＲＦＩＤカードキーＩＤ）に関連付けられ、且つ収納ボックス１０に収納されている旨収納物情報記憶領域３２ｂに記憶されているファイルに関するデータから特定する。もし、探索ファイルが収納物情報のうちに存在しなければ（Ｓ２１：ＮＯ）、探索ファイルが存在しない旨を表示部１３に表示させ（Ｓ２２）、収納ファイルの確認（Ｓ１５〜Ｓ１７）に戻る。
【００８２】
もし、探索ファイルが存在したならば、探索無線タグの固有ＩＤを特定し（Ｓ２１：ＹＥＳ）、次に、リーダライタ制御部３１は、Ｓ２１にて特定した固有ＩＤを指定した第一信号をアンテナ１７より送信させるために、第一リーダライタ変調部３４に対して第一信号を送信する（Ｓ２３）。
【００８３】
リーダライタ制御部３１より送信された第一信号は、第一リーダライタ変調部３４において、アンテナ１７より放射させ、無線タグ２１の第一アンテナ４０にて受信することが可能な周波数（本実施例では１３．５６ＭＨｚ）に変調される。そして変調された第一信号が、フィルタ手段３７を通り、アンテナ１７より信号電波として放射される。
【００８４】
一方、無線タグ２１のＲＦＩＤチップ４１では、収納ボックス１０のアンテナ１７より放射された信号電波（第一信号）が第一アンテナ４０に照射された場合、チップ電源供給部４４がチップ制御部４６等の駆動のために必要な電力を生成する。これによりチップ制御部４６が起動し、図１０における処理を開始し、Ｓ１５にて第一信号が送信された際と同様に、第一信号で指定された固有ＩＤがチップ記憶部４５の固有ＩＤ記憶領域４５ａと一致した際に、返信信号を送信する制御を行う（Ｓ３１〜Ｓ３５）。
【００８５】
図９に示すように、第一信号を送信した（Ｓ２３参照）後のリーダライタ１１のリーダライタ制御部３１は、無線タグ２１より返信信号を受信するまで継続して第一信号の送信処理を繰り返す（Ｓ２４：ＮＯ→Ｓ２３）。
【００８６】
無線タグ２１からの信号電波をアンテナ１７が受け、第一リーダライタ復調部３５にて復調され、復調された結果の復調信号が、Ｓ３５（図１０参照）の処理に基づいて無線タグ２１より送信された返信信号である場合には（Ｓ２４：ＹＥＳ）、次いでリーダライタ制御部３１は、探索無線タグが備える有機ＥＬ素子２２を発光させるために、探索無線タグの固有ＩＤを指定した第二信号を第二リーダライタ変調部３６に対して送信する（Ｓ２５）。送信された第二信号は、第二リーダライタ変調部３６において、アンテナ１７より放射させることが可能な周波数（６０ＭＨｚ）に変調される。そして、変調された第二信
号が、フィルタ手段３７を通り、アンテナ１７より信号電波として放射される。その後リーダライタ制御部３１は、Ｓ１８に戻り、扉１５を閉じる閉扉ボタン１２ａ押下の判断処理を実行する。
【００８７】
一方、無線タグ２１の報知制御用通信部５１では、収納ボックス１０の有するアンテナ１７より放射された信号電波（第二信号）が第二アンテナ５０に照射された場合、報知電源供給部５５が報知制御部５３等の駆動のために必要な電力を生成する。これにより報知制御部５３が起動し、図１１における処理を開始する。
【００８８】
図１１に示すように、起動した報知制御用通信部５１の報知制御部５３は、はじめに、第二アンテナ５０により受信し、報知復調部５２にて復調された結果の復調信号を受信するまで待機している（Ｓ４１：ＮＯ）。そして復調信号を受信し、受信した信号がリーダライタ１１より送信された第二信号であると判断した場合には（Ｓ４１：ＹＥＳ）、次いで、報知記憶部５４の固有ＩＤ記憶領域５４ａに記憶されている固有ＩＤを読み出す。そして、受信した第二信号にて指定された固有ＩＤと、読みだした固有ＩＤとが一致するか否かを判断する（Ｓ４３）。
【００８９】
受信した第二信号にて指定された固有ＩＤと、読みだした固有ＩＤとが一致する場合には（Ｓ４３：ＹＥＳ）、報知制御部５３は、リーダライタ１１より有機ＥＬ素子２２を発光させる旨の指示（Ｓ２５、図９参照）がなされたと判断し、有機ＥＬ素子２２を発光させる（Ｓ４５）。そして報知制御部５３は無線タグ報知処理を終了する。
【００９０】
一方、報知制御部５３は、受信した第二信号にて指定された固有ＩＤと、報知記憶部５４の固有ＩＤ記憶領域５４ａより読みだした固有ＩＤとが一致しない場合には（Ｓ４３：ＮＯ）、自身がリーダライタ１１より探索されている無線タグではないものと判断する。この場合、有機ＥＬ素子２２を発光させる必要はないので、以降特段の処理を行うことなく無線タグ報知処理を終了する。
【００９１】
一方、ファイル２０を返却する場合は、Ｓ１１、Ｓ１２で利用者が認証され、Ｓ１４にて扉が開いた後、持ち出していたファイル２０が収納ボックス１０に収納されると、Ｓ１５〜Ｓ１７において、返却されたファイル２０の無線タグ２１と第一信号及び返信信号のやり取りを行い、収納されたファイル２０が収納ボックス１０に収納されている旨を収納物情報記憶領域３２ｂに記憶する制御を行う。その後リーダライタ制御部３１は、Ｓ１８において、扉１５を閉じる閉扉ボタン１２ａ押下の判断処理を実行する。また、Ｓ２０において探索情報を入力すれば、ファイルの探索を行うことも可能である。
【００９２】
以上説明したように、本実施形態の収納システム１では、リーダライタ１１が、ＲＦＩＤリーダ１４を有することにより、利用者を認証し、その利用者が利用可能なファイルのみを探索できるようにすることが可能となる。また、利用者の認証と連動して開く扉１５を有することにより、利用可能な利用者のみが収納ボックス１０からファイル２０を取り出すことが可能となるため、セキュリティ性が向上する。
【００９３】
上述した実施形態の収納システム１では、扉１５は自動で開閉するように構成されていたが、扉１５は手動にて開閉するように構成しても良い。この場合、ＲＦＩＤリーダ１４にてＲＦＩＤカードキーＩＤが読み取られ、利用者が正当な利用者であると認証された場合に解錠され、利用者によって手動で扉が閉じられた際に施錠されるようにリーダライタ制御部３１から制御される施錠手段を有する扉として構成しても良い。
【００９４】
また、利用者の入力部１２からの入力によって検索された全てのファイル２０について、収納物情報記憶領域３２ｂに記憶されている収納情報が、収納されていない状態になっ
た際に、リーダライタ制御部３１が扉開閉手段３３を制御し、扉１５を閉じるような構成としても良い。
【００９５】
また、閉扉ボタン１２ａ押下の判定前に、収納物情報記憶領域３２ｂに記憶されている、収納ボックス１０に収納されているファイル２０の情報を元に、利用者が、利用を許されていないファイルを持ち出していないかどうかを判定し、持ち出していた場合に警告するように構成しても良い。
【００９６】
＜第二実施形態＞
次に、本発明の第二実施形態について説明する。第二実施形態の収納システム１００は、扉１５の開閉の制御を、ファイルの検索と連動させて行う点が第一実施形態の収納システム１と異なる。以下、第一実施形態の収納システム１との相違点を中心に説明する。図１２はファイル２０が収納されていない状態の第二実施形態の収納システム１００の斜視図であり、図１３は、第二実施形態の収納システム１００の電気的構成を示す図であり、図１４は、リーダライタ１１１のリーダライタ制御部１３１にて実行される無線タグ探索処理のフローチャートである。
【００９７】
図１３に示す通り、第二実施形態の収納システム１００のリーダライタ１１１が有するリーダライタ記憶部１３２には、収納物持ち出し履歴記憶領域１３２ｃが更に設けられている。この記憶領域は、利用者が現在収納ボックス１１０から持ち出しているファイルが、利用者毎に記憶されている。
【００９８】
次に、第二実施形態の収納システム１００におけるリーダライタ１１１のリーダライタ制御部１３１により実行される処理について、図１４を参照して説明する。図１４は、リーダライタ１１１のリーダライタ制御部１３１にて実行される無線タグ探索処理のフローチャートである。以下、第一実施形態の収納システム１の処理との相違点を中心に説明する。
【００９９】
Ｓ１２において、利用者の認証が完了した後、その利用者が過去に収納ボックス１１０からファイルを持ち出したことがあるかどうかを、収納物持ち出し履歴記憶領域１３２ｃに照会する（Ｓ５１）。もし、持ち出し履歴がなかったら（Ｓ５１：ＮＯ）、利用者がファイルを持ち出したいものと判断し、次にＳ２０にて探索情報の入力を待つ。入力部１２を介して利用者により探索ファイルに関連するファイル関連情報の入力操作がなされ、これをリーダライタ制御部１３１が検出した場合（Ｓ２０：ＹＥＳ）、リーダライタ制御部１３１は、リーダライタ記憶部１３２の収納物情報記憶領域１３２ｂに記憶されている収納物情報を参照し、入力されたファイル関連情報に相当するファイル２０に貼付されている無線タグ２１の固有ＩＤを、ＲＦＩＤリーダ１４により特定された利用者（が保有するＲＦＩＤカードキー１８に記憶されたＲＦＩＤカードキーＩＤ）に関連付けられ、且つリーダライタ記憶部１３２の利用者情報記憶領域１３２ａに記憶されている全ての利用者について持ち出し履歴のないファイルに関するデータから特定する。もし、入力されたファイル関連情報に相当するファイルが収納物情報のうちに存在しなければ（Ｓ２１：ＮＯ）、探索ファイルが存在しない旨を表示部１３に表示させ（Ｓ２２）、探索情報の入力（Ｓ２０）に戻る。
【０１００】
もし、入力されたファイル関連情報に相当する探索ファイルが存在したならば、探索ファイルに貼付されている探索無線タグの固有ＩＤを特定し（Ｓ２１：ＹＥＳ）、次に、リーダライタ制御部１３１は、扉開閉手段３３を制御して扉１５を開き（Ｓ５５）後、Ｓ２１にて特定した固有ＩＤを指定した第一信号をアンテナ１７より送信させる（Ｓ２３）。
【０１０１】
そして、第一実施形態の場合と同様に、返信信号の受信、及び第二信号の送信により、
探索無線タグの有機ＥＬ素子２２を発光させる処理（Ｓ２４〜２５）を行った後、探索ファイルが持ち出されたか否かを判断するため、特定された固有ＩＤについて再度第一信号の送信を行う（Ｓ５６）。この第一信号に対する返信信号を無線タグ２１から受信したならば（Ｓ５７：ＹＥＳ）、また探索ファイルが持ち出されていないと判断し、さらに第一信号を発信する。一方、返信信号を受信しなかったならば（Ｓ５７：ＮＯ）、探索ファイルが持ち出されたと判断し、扉１５を閉じる制御を行い（Ｓ５３）、収納物持ち出し履歴記憶領域１３２ｃに記憶されている収納物持ち出し履歴を持ち出されている旨更新（Ｓ５４）し、Ｓ１１に戻ってＲＦＩＤカードキー１８の認証待機状態となる。
【０１０２】
一方、持ち出し履歴があった場合（Ｓ５１：ＹＥＳ）、利用者が持ち出したファイルを返却する可能性があるものと判断し、扉１５を開く制御を行う（Ｓ１４）。そして、Ｓ１５〜１７において収納ボックス１１０に収納されているファイルを確認し、持ち出されたファイルが返却されたかどうかを判断する（Ｓ５２）。もし、持ち出されたファイルがまだ返却されていなければ（Ｓ５２：ＮＯ）、持ち出し中のファイルがあり、かつ別のファイルを持ち出したい場合に備え、持ち出し履歴がない場合と同様に、探索情報の入力を待つ（Ｓ１２０）。
【０１０３】
入力操作がなされた場合（Ｓ１２０：ＹＥＳ）には、リーダライタ制御部１３１は、リーダライタ記憶部１３２の収納物情報記憶領域１３２ｂに記憶されている収納物情報を参照し、入力されたファイル関連情報に相当するファイル２０に貼付されている無線タグ２１の固有ＩＤを、ＲＦＩＤリーダ１４により特定された利用者（が保有するＲＦＩＤカードキー１８に記憶されたＲＦＩＤカードキーＩＤ）に関連付けられ、かつリーダライタ記憶部１３２の利用者情報記憶領域１３２ａに記憶されている全ての利用者について持ち出し履歴のないファイルに関するデータから特定する。もし、入力されたファイル関連情報に相当する探索ファイルが存在したならば、探索ファイルに貼付されている探索無線タグの固有ＩＤを特定し（Ｓ１２１：ＹＥＳ）、Ｓ２１にて特定した固有ＩＤを指定した第一信号をアンテナ１７より送信させ（Ｓ２３）、前述の持ち出し履歴がない場合と同様に、探索無線タグの有機ＥＬ素子２２を発光させる処理（Ｓ２４〜２５）を行い、収納物が持ち出されたか否かを判断（Ｓ５６〜５７）し、持ち出された場合には扉を閉じる制御（Ｓ５３）、及び持ち出し履歴の更新（Ｓ５４）を行った後、Ｓ１１に戻ってＲＦＩＤカードキー１８の認証待機状態となる。
【０１０４】
一方、入力されたファイル関連情報に相当するファイルが収納物情報のうちに存在しなければ（Ｓ１２１：ＮＯ）、探索ファイルが存在しない旨を表示部１３に表示させ（Ｓ１２２）、再度収納ボックス１１０中のファイルの確認（Ｓ１５）に戻る。また、探索情報の入力がなされなかった場合（Ｓ１２０：ＮＯ）においても、再度収納ボックス１１０中のファイルの確認（Ｓ１５）に戻る。
【０１０５】
一方、ファイルが返却されたと判断されたら（Ｓ５２：ＹＥＳ）、扉１５を閉じ（Ｓ５３）、収納物持ち出し履歴記憶領域１３２ｃに記憶されている収納物持ち出し履歴を持ち出しされていない旨更新（Ｓ５４）し、Ｓ１１に戻ってＲＦＩＤカードキー１８の認証待機状態となる。
【０１０６】
以上説明したように、本実施形態の収納システム１００では、リーダライタ１１１が、ＲＦＩＤリーダ１４を有することにより、利用者を認証し、その利用者が利用可能なファイルのみを探索できるようにすることが可能となる。また、その利用者が利用したファイルが収納ボックス１１０に収納されている場合にのみ扉１５が開扉するように構成されていることにより、利用したい収納物が収納ボックス１１０に収納されている利用者のみが収納ボックス１１０からファイル２０を取り出すことが可能となるため、セキュリティ性が向上する。また、無線タグ２１が有する有機ＥＬ素子２２による報知を行った後、報知
を行ったファイルの存在を確認することで、探索ファイルが持ち出されたか否かを判定することで、探索ファイルが持ち出された後に扉１５を自動的に閉扉するような制御を行うことが可能となり、扉１５が開いたままになることによるセキュリティ性の低下を防止することが可能となる。
【０１０７】
また、収納物持ち出し履歴を記憶することにより、持ち出したファイルを返却する利用者を認証した場合にも扉１５が開扉するように構成できる。このことで、返却のみを行いたい利用者が利用する場合でも問題なく利用することが可能となる。この場合でも、持ち出し履歴のあるファイルが戻されたか否かをファイルの存在を確認することで判断でき、ファイルが戻されたら扉１５を自動的に閉扉するような制御を行うことが可能となり、扉１５が開いたままになることによるセキュリティ性の低下を防止することが可能となる。
【０１０８】
上述した実施形態の収納システム１００では、扉１５は自動で開閉するように構成されていたが、扉は手動にて開閉するように構成しても良い。この場合、上述した実施例において、開扉するとされた場合に扉１５の鍵が解錠され、扉１５が閉じられた際に施錠されるようにリーダライタ制御部１３１から制御される施錠手段を有する扉として構成しても良い。
【０１０９】
また、上述した処理のいずれのタイミングにおいても、利用者の入力部１２からの閉扉ボタン１２ａの入力によって扉１５が閉扉され、ＲＦＩＤキーの認証に戻るような構成としてもよい。
【０１１０】
また、第一実施形態の場合と同様に、また、閉扉ボタン押下の判定前に、収納されているファイルの情報を元に、利用者が、検索されたファイル以外のファイルを持ち出していないかどうかを判定し、持ち出していた場合に警告するように構成しても良い。その警告履歴を、利用者情報記憶領域１３２ａに記録しても良い。
【０１１１】
また、以上説明した実施形態では、本発明の収納システム１、１００に用いる収納物としてファイルを例示したが、これには限定されず、例えば、キーホルダー、瓶など、本発明の無線タグ２１を備えることのできる各種収納物が本発明の収納システム１、１００の収納物として用いることができる。
【０１１２】
また、有機ＥＬ素子２２の発光パターンは、連続発光、点滅等どのような発光パターンでも良く、また、図１〜３に示すようなベタパターンの発光の他、文字や記号が発光するようにしても良い。また、収納物毎に発光パターンや文字、記号、色等を変えても良い。また、報知手段は有機ＥＬ素子には限定されず、発光ダイオード等その他の発光手段であっても良く、また音を発する手段でもよいが、その視認性や薄型化が可能であることから、有機ＥＬ素子を用いることが望ましい。
【符号の説明】
【０１１３】
１        収納システム
１０      収納ボックス
１１      リーダライタ
１２      入力部
１２ａ    閉扉ボタン
１３      表示部
１４      ＲＦＩＤリーダ
１５      扉
１７      アンテナ
１８      ＲＦＩＤカードキー
２０      ファイル
２１      無線タグ
２２      有機ＥＬ素子
３１      リーダライタ制御部
４０      第一アンテナ
４１      ＲＦＩＤチップ
５０      第二アンテナ
５１      報知制御用通信部
６０      第三アンテナ
１００    （第二実施形態の）収納システム
１１０    収納ボックス
１１１    リーダライタ
１３１    リーダライタ制御部
【図１】
2011238066.tif 000003
【図２】
2011238066.tif 000004
【図３】
2011238066.tif 000005
【図４】
2011238066.tif 000006
【図５】
2011238066.tif 000007
【図６】
2011238066.tif 000008
【図７】
2011238066.tif 000009
【図８】
2011238066.tif 000010
【図９】
2011238066.tif 000011
【図１０】
2011238066.tif 000012
【図１１】
2011238066.tif 000013
【図１２】
2011238066.tif 000014
【図１３】
2011238066.tif 000015
【図１４】
2011238066.tif 000016